(57)【要約】【課題】串径または串幅の異なる多種の串に対応させて、串手前側から串先側に食品を移動させる。【解決手段】串刺し食品補助具２は、掴み部としての有底円筒状本体３とその上端に形成された押し当て部としての上端縁部４とを備えて構成される。この上端縁部４には、異なる串径Ｗ１または串幅Ｗ２、Ｗ３の串Ｓ１〜Ｓ３に対応させて複数の切り欠き部５Ａ〜５Ｃが形成される。先端側の食品片が食された後の串Ｓ１〜Ｓ３を、串径Ｗ１または串幅Ｗ２、Ｗ３に合致した切り欠き部５Ａ〜５Ｃに差し込み、片手で本体３を掴み、他方の手で串Ｓ１〜Ｓ３を串軸方向に相対移動させると、串手前側の食品Ｆ１、Ｆ２を上端縁部４の内周面４Ａに押し付けて串先側に移動させるようになっている。【選択図】図１
2017018392.tif 000002
【特許請求の範囲】
【請求項１】
手で掴む掴み部と、この掴み部に連続し串を差し込み可能な切り欠き部が形成され切り欠き部周囲に串刺し食品が当たる面を有し、切り欠き部に串を差し込んで串軸方向に串を相対移動させると食品を上記面に押し付けて移動させる押し当て部とを備えた串刺し食品補助具であって、
押し当て部には、異なる串径または串幅に対応させて切り欠き部を形成したことを特徴とする串刺し食品補助具。
【請求項２】
切り欠き部は、大きさの異なる複数の切り欠き部により構成されることを特徴とする請求項１に記載の串刺し食品補助具。
【請求項３】
掴み部を上端が開口した有底筒体から構成し、この筒体内にティシュペーパーまたはウエットティシュペーパーが筒体胴部に形成された取り出し口から外部に取り出し可能に収容されることを特徴とする請求項１または２に記載の串刺し食品補助具。
【請求項４】
押し当て部が筒体上端縁に形成されることを特徴とする請求項３に記載の串刺し食品補助具。
【請求項５】
筒体には、メッセージまたは広告を表示する表示部を設けたことを特徴とする請求項３または４に記載の串刺し食品補助具。
【請求項６】
掴み部を上端が開口した有底筒体に被せられる蓋により構成し、押し当て部を蓋の外縁筒部により構成したことを特徴とする請求項１ないし３のうちいずれか１に記載の食品補助具。
【請求項７】
蓋には、食用容器または飲用容器に係脱可能な係脱部を形成したことを特徴とする請求項６に記載の串刺し食品補助具。
【請求項８】
掴み部を棒状取っ手により構成するとともに、押し当て部をこの取っ手の一端から延びる板状部により構成したことを特徴とする請求項１または２に記載の串刺し食品補助具。
【請求項９】
切り欠き部を屈曲させて形成された単一の切り欠き部から構成し、切り欠き部には、切り欠き部内に導かれた異なる串径または串幅の串が切り欠き部から外部へ離脱するのを阻止する傾斜部を形成したことを特徴とする請求項１または８に記載の串刺し食品補助具。
【請求項１０】
飲食用缶の上下端外周縁部のいずれか一方に着脱可能に嵌装されるキャップから構成され、このキャップの外縁に上方に突出し串刺し食品が当たる面を有する押し付け部を形成するとともに、
押し当て部には、串刺し食品の異なる串径または串幅に対応させて切り欠き部を形成し、
缶を掴んで、切り欠き部に串を差し込み串軸方向に串を相対移動させると食品を上記面に押し付けて移動させるべく構成したことを特徴とする串刺し食品補助具。
【請求項１１】
缶本体の上下端外周縁部の少なくともいずれか一方に、串刺し食品が当たる面を有する押し付け部を形成するとともに、
押し当て部には、串刺し食品の異なる串径または串幅に対応させて切り欠き部を形成し、
缶を掴んで、切り欠き部に串を差し込み串軸方向に串を相対移動させると食品を上記面に押し付けて移動させるべく構成したことを特徴とする飲食用缶。
【発明の詳細な説明】
【技術分野】
【０００１】
本発明は、串刺しされた食品（焼き鳥、団子、串カツなど）を食す際、串先から離れた残りの食品片を串先に寄せる串刺し食品補助具および飲食用缶に関するものである。
【背景技術】
【０００２】
一般に、焼き鳥や串団子などの串刺し食品（串刺し焼き鳥、串刺し団子、串カツ等）を食す際、串先端側の食品片は食べやすいものの、持ち手の近くにある、串先端から離れた位置にある食品片は食べにくいため、歯で噛みついたまま串先端まで食品片を移動させて食すことが多い。しかしながら、子どもには食べにくかったり、女性ではマナーの上から、串に刺された食品片をまず箸などで串から抜き外して食すことも多い。このように、串差し食品は食べにくいという問題がある。このため、従来、串刺し食品補助具として、プレート状寄せ板に、貫通穴または溝を形成し、この寄せ板の貫通穴に串を差し入れたり、串を溝に嵌めて食品片を串先側に引き寄せるものが知られている（特許文献１および特許文献２参照）。
【先行技術文献】
【特許文献】
【０００３】
【特許文献１】実用新案登録第３１２５３６９号公報
【特許文献２】実用新案登録第３０６６７９１号公報
【発明の概要】
【発明が解決しようとする課題】
【０００４】
しかしながら、上記特許文献１および２に記載の従来の串刺し食品補助具では、焼き鳥や団子の竹串の串径に対応した穴や溝を形成している。このため、串刺し食品の種類に応じて串径や串幅が異なる串に用いる場合、使いにくいという問題がある。さらに、取っ手部分が短寸の板状であるため、串から食品片を移動させる際、扱いにくいという問題がある。
【０００５】
本発明は、上記課題を解決するためになされたもので、簡素な構成で、串径または串幅の異なる多種の串にも対応することができる串刺し食品補助具を提供することを目的とする。
【課題を解決するための手段】
【０００６】
本発明の第１の発明の請求項１に係る串刺し食品補助具は、手で掴む掴み部と、この掴み部に連続し串を差し込み可能な切り欠き部が形成され切り欠き部周囲に串刺し食品が当たる面を有し、切り欠き部に串を差し込んで串軸方向に串を相対移動させると食品を上記面に押し付けて移動させる押し当て部とを備えた串刺し食品補助具であって、押し当て部には、異なる串径または串幅に対応させて切り欠き部を形成したことを特徴としている。
【０００７】
本発明の請求項１に係る串刺し食品補助具では、手で掴む掴み部と、この掴み部に連続し串を差し込み可能な切り欠き部が形成され切り欠き部周囲に串刺し食品が当たる面を有し、切り欠き部に串を差し込んで串軸方向に串を相対移動させると食品を上記面に押し付けて移動させる押し当て部とを備えた串刺し食品補助具であって、押し当て部には、異なる串径または串幅に対応させて切り欠き部を形成したことにより、串径または串幅の異なる多種の串にも対応させて使用することができる。
【０００８】
本発明の請求項２に係る串刺し食品補助具は、切り欠き部は、大きさの異なる複数の切り欠き部により構成されることを特徴としている。
【０００９】
本発明の請求項３に係る串刺し食品補助具は、掴み部を上端が開口した有底筒体から構成し、この筒体内にティシュペーパーまたはウエットティシュペーパーが筒体胴部に形成された取り出し口から外部に取り出し可能に収容されることを特徴としている。
【００１０】
本発明の請求項３に係る串刺し食品補助具では、掴み部を上端が開口した有底筒体から構成し、この筒体内にティシュペーパーまたはウエットティシュペーパーが筒体胴部に形成された取り出し口から外部に取り出し可能に収容されるようにしたことにより、掴み部が握りやすく扱いやすい。また、筒体からティシュペーパーまたはウエットティシュペーパーを取り出すことができるので、利便性が向上する。
【００１１】
本発明の請求項４に係る串刺し食品補助具は、押し当て部が筒体上端縁に形成されることを特徴としている。
【００１２】
本発明の請求項５に係る串刺し食品補助具は、筒体には、メッセージまたは広告を表示する表示部を設けたことを特徴としている。
【００１３】
本発明の請求項６に係る串刺し食品補助具は、掴み部を上端が開口した有底筒体に被せられる蓋により構成し、押し当て部を蓋の外縁筒部により構成したことを特徴としている。
【００１４】
本発明の請求項６に係る串刺し食品補助具では、掴み部を上端が開口した有底筒体に被せられる蓋により構成し、押し当て部を蓋の外縁筒部により構成したことにより、蓋も串刺し食品補助具として利用することができるので、利便性が向上する。
【００１５】
本発明の請求項７に係る串刺し食品補助具は、蓋には、食用容器または飲用容器に係脱可能な係脱部を形成したことを特徴としている。
【００１６】
本発明の請求項８に係る串刺し食品補助具は、掴み部を棒状取っ手により構成するとともに、押し当て部をこの取っ手の一端から延びる板状部により構成したことを特徴としている。
【００１７】
本発明の請求項８に係る串刺し食品補助具は、掴み部を棒状取っ手により構成するとともに、押し当て部をこの取っ手の一端から延びる板状部により構成したことにより、取っ手が棒状に形成されているので、使用者は取っ手をしっかり握ることができ、操作性が向上する。
【００１８】
本発明の請求項９に係る串刺し食品補助具は、切り欠き部を屈曲させて形成された単一の切り欠き部から構成し、切り欠き部には、切り欠き部内に導かれた異なる串径または串幅の串が切り欠き部から外部へ離脱するのを阻止する傾斜部を形成したことを特徴としている。
【００１９】
本発明の請求項９に係る串刺し食品補助具では、切り欠き部を屈曲させて形成された単一の切り欠き部から構成し、切り欠き部には、切り欠き部内に導かれた異なる串径または串幅の串が切り欠き部から外部へ離脱するのを阻止する傾斜部を形成したことにより、単一の切り欠き部で径や幅の異なる多種の串に対応させることができる。
【００２０】
本発明の請求項１０に係る串刺し食品補助具は、飲食用缶の上下端外周縁部のいずれか一方に着脱可能に嵌装されるキャップから構成され、このキャップの外縁に上方に突出し串刺し食品が当たる面を有する押し付け部を形成するとともに、押し当て部には、串刺し食品の異なる串径または串幅に対応させて切り欠き部を形成し、缶を掴んで、切り欠き部に串を差し込み串軸方向に串を相対移動させると食品を上記面に押し付けて移動させるべく構成したことを特徴としている。
【００２１】
本発明の請求項１０に係る串刺し食品補助具では、飲食用缶の上下端外周縁部のいずれか一方に着脱可能に嵌装されるキャップから構成され、このキャップの外縁に上方に突出し串刺し食品が当たる面を有する押し付け部を形成するとともに、押し当て部には、串刺し食品の異なる串径または串幅に対応させて切り欠き部を形成し、缶を掴んで、切り欠き部に串を差し込み串軸方向に串を相対移動させると食品を上記面に押し付けて移動させるべく構成したことにより、串径または串幅の異なる多種の串にも対応させて使用することができる。
【００２２】
本発明の第２の発明の請求項１１に係る飲食用缶は、缶本体の上下端外周縁部の少なくともいずれか一方に、串刺し食品が当たる面を有する押し付け部を形成するとともに、押し当て部には、串刺し食品の異なる串径または串幅に対応させて切り欠き部を形成し、缶を掴んで、切り欠き部に串を差し込み串軸方向に串を相対移動させると食品を上記面に押し付けて移動させるべく構成したことを特徴としている。
【００２３】
本発明の請求項１１に係る飲食用缶では、缶本体の上下端外周縁部の少なくともいずれか一方に、串刺し食品が当たる面を有する押し付け部を形成するとともに、押し当て部には、串刺し食品の異なる串径または串幅に対応させて切り欠き部を形成し、缶を掴んで、切り欠き部に串を差し込み串軸方向に串を相対移動させると食品を上記面に押し付けて移動させるべく構成したことにより、串径または串幅の異なる多種の串にも対応させて使用することができる。
【発明の効果】
【００２４】
本発明の第１の発明の請求項１に係る串刺し食品補助具は、手で掴む掴み部と、この掴み部に連続し串を差し込み可能な切り欠き部が形成され切り欠き部周囲に串刺し食品が当たる面を有し、切り欠き部に串を差し込んで串軸方向に串を相対移動させると食品を上記面に押し付けて移動させる押し当て部とを備えた串刺し食品補助具であって、押し当て部には、異なる串径または串幅に対応させて切り欠き部を形成したので、串径または串幅の異なる多種の串にも対応して用いることができ、使いやすくなり汎用性が向上する。
【００２５】
本発明の請求項１０に係る串刺し食品補助具は、飲食用缶の上下端外周縁部のいずれか一方に着脱可能に嵌装されるキャップから構成され、このキャップの外縁に上方に突出し串刺し食品が当たる面を有する押し付け部を形成するとともに、押し当て部には、串刺し食品の異なる串径または串幅に対応させて切り欠き部を形成し、缶を掴んで、切り欠き部に串を差し込み串軸方向に串を相対移動させると食品を上記面に押し付けて移動させるべく構成したので、串径または串幅の異なる多種の串にも対応して用いることができ、使いやすくなり汎用性が向上する。また、缶に装着して用いるので利便性が向上する。
【００２６】
本発明の第２の発明の請求項１１に係る飲食用缶は、缶本体の上下端外周縁部の少なくともいずれか一方に、串刺し食品が当たる面を有する押し付け部を形成するとともに、押し当て部には、串刺し食品の異なる串径または串幅に対応させて切り欠き部を形成し、缶を掴んで、切り欠き部に串を差し込み串軸方向に串を相対移動させると食品を上記面に押し付けて移動させるべく構成したので、缶自体に形成された切り欠きにより、串径または串幅の異なる多種の串にも対応させて使用することができる。
【図面の簡単な説明】
【００２７】
【図１】本発明の第１実施形態である串刺し食品補助具を示す斜視図である。
【図２】図１の串刺し食品補助具の平面図である。
【図３】本発明の第２実施形態である串刺し食品補助具を示す斜視図である。
【図４】図１の串刺し食品補助具に第２実施形態の串刺し食品補助具である蓋が被せられた状態を示す斜視図である。
【図５】図１の串刺し食品補助具に被せられた図３の蓋を飲用容器に係止させた状態を示す説明図である。
【図６】図１の串刺し食品補助具を用いて串に刺さった食品片を串先端に移動させる使用状態を示す説明図である。
【図７】本発明の第３実施形態である串刺し食品補助具を示す全体斜視図である。
【図８】図７の串刺し食品補助具を示す側面図である。
【図９】図７の串刺し食品補助具を長手方向先端側から見た正面図である。
【図１０】図７の串刺し食品補助具の第１の変形例を示す側面図である。
【図１１】図７の串刺し食品補助具の第２の変形例を示す側面図である。
【図１２】図１１の第２の変形例の要部を拡大して示す説明図である。
【図１３】本発明の第４実施形態である串刺し食品補助具を示す全体斜視図である。
【図１４】図１３の串刺し食品補助具の要部断面図でる。
【図１５】本発明の第２の発明での一実施形態である飲食用缶を示す斜視図である。
【発明を実施するための形態】
【００２８】
串径または串幅の異なる多種の串に対応させるという目的を、串を差し込み可能な切り欠き部が形成され切り欠き部周囲に串刺し食品が当たる面を有し、切り欠き部に串を差し込んで串軸方向に串を相対移動させると食品を上記面に押し付けて移動させる押し当て部と、この押し当て部に連続して形成され手で掴まれる掴み部とを備えた串刺し食品補助具であって、押し当て部には、串径または串幅に対応させて切り欠き部を形成したことにより実現した。
【００２９】
以下、本発明の実施の形態を、図面を参照して説明する。図１および図２はそれぞれ、本発明の第１実施形態である串刺し食品補助具を示す斜視図および平面図である。同一符号は、同一又は相当部分を示す。
【００３０】
本発明の第１実施形態に係る串刺し食品補助具２は、図１および図２に示すように、使用者が片手で握れる外径を有し上部が開口された合成樹脂製の有底円筒状本体（掴み部、筒体）３を備えて構成される。本体３の上端縁部（押し当て部）４には、周方向に大きさの異なる複数の切り欠き部５Ａ、５Ｂ、５Ｃが形成される。切り欠き部５Ａ〜５Ｃはそれぞれ大きさを異ならせて形成される。最も小さい切り欠き部５Ａは、焼き鳥や団子（串刺し食品）などに刺される竹串Ｓ１が差し入れられる大きさを、つまり、竹串Ｓ１の円形断面の直径（円形断面の最大横幅）Ｗ１（図８参照）を受け入れる大きさを備えている（Ｗ１＝１．８ｍｍ〜２．５ｍｍ）。中位の大きさの切り欠き部５Ｂは、金串Ｓ２など、竹串Ｓ１より断面の横幅が大きい串を受け入れる大きさを備えている（金串Ｓ２の横幅Ｗ２＝３．０〜５．０ｍｍ）。最も大きい切り欠き部５Ｃは、金串Ｓ２より横幅の大きい角串（平串）Ｓ３を受け入れる大きさを備えている（角串Ｓ３の横幅Ｗ３＝６．０〜９．０ｍｍ）。上端縁部４の外周面４Ｂには、後述する蓋１０（第２実施形態の串刺し食品補助具（図３〜５参照））が螺合されるねじが形成される。また、上端縁部４には、持ちやすくするため、周方向に沿って所定の長さで切り込み部４Ｃが形成される。
【００３１】
上端縁部４の内周面４Ａは、切り欠き部５Ａ〜５Ｃの周囲で串刺し食品が当たるようになっている。すなわち、図６に示すように、切り欠き部５Ａ〜５Ｃのいずれかに串Ｓ（Ｓ１、Ｓ２、Ｓ３）を掴む手前側の部分を差し込んで串軸方向に串Ｓを相対移動させると食品を上端縁部４の内周面４Ａに押し付けて串先端側に移動させることができるようになっている。
【００３２】
本体３には、隔壁３Ａが設けられ、ティシュペーパー（またはウエットティシュペーパー）７が収容される室３Ｂと、使用済みの串Ｓ（Ｓ１、Ｓ２、Ｓ３）を入れる室３Ｃとがそれぞれ形成される。本体３には、室３Ｂ側に縦方向に取り出し口６が形成され、室３Ｂに収容されたティシュペーパー７は、この取り出し口６から外部に露出させて取り出し可能になっている。
【００３３】
本体３には、メッセージまたは広告を表示する表示部８が設けられる。表示部８には、メッセージまたは広告等が表示された多種の樹脂製紙片９（図４参照）が交換可能に差し入れられる。表示部８は本体３外周面の上下に設けられた紙片保持部８Ａ〜８Ｄにより樹脂製紙片９が保持されるようになっている。なお、表示部８は所定の面積を確保して、裏面に粘着面が形成された樹脂製紙片を交換可能に貼り付けるようにしてもよい。
【００３４】
次に、上記第１実施形態に係る串刺し食品補助具２の作用について説明する。本実施形態に係る串刺し食品補助具２は、図６に示すように、串Ｓの先端側の食品片を食べた後、串Ｓを掴む手前側の食品片Ｆ１、Ｆ２を本体３の内側に配し、片方の手で本体３の胴部を掴み、他方の手で串Ｓを直径Ｗ１に合致した切り欠き部５Ａに差し入れ、串Ｓを手前側に引くと、食品片Ｆ１は、上端縁部４の内周面４Ａに押し当てられ、串Ｓのみが手前側に上端縁部４に対して相対移動する。このため、食品片Ｆ１、Ｆ２はともに串Ｓの先端側に移動して行く。こうして、食品片Ｆ１、Ｆ２を串Ｓの先端側に移動させることができる。そして、横幅の異なる串Ｓ２またはＳ３であっても、それぞれに対応した切り欠き部５Ｂ、５Ｃを利用することができるので、多種の串Ｓ１〜Ｓ３であっても、対応する切り欠き部５Ｂ、５Ｃに差し入れることができ、食品片を串手前側から先端側へ容易に移動させることができる。このように、串径Ｗ１及び串幅Ｗ２、Ｗ３の異なる多種の串Ｓ１〜Ｓ３にも対応して用いることができ、使いやすくなり汎用性が向上する効果がある。
【００３５】
手が汚れた際は、取り出し口６から露出したティシュペーパー（またはウエットティシュペーパー）７を引っ張り出し、利用することができる。また、本体３の胴部には表示部８にメッセージが表示された樹脂製紙片９を差し入れることができるようになっているので、メニューを表示したり、お知らせを表示して顧客に知らせることができる。さらに、樹脂製紙片９を交換して広告を表示することもできるようになっている。
【００３６】
次に、本発明の第２実施形態に係る串刺し食品補助具１０について説明する。第２実施形態に係る串刺し食品補助具１０は、上記第１実施形態に係る串刺し食品補助具２が、円筒状本体３から構成されるのに対し、図３および図４に示すように、本体３に着脱自在に螺合して被せられる蓋１０から構成される点が異なっている。串Ｓ（Ｓ１〜Ｓ３）、串径Ｗ１および串幅Ｗ２、Ｗ３、食品片Ｆ１、Ｆ２は全ての実施形態において共通する。
【００３７】
蓋１０は、図３および図４に示すように、環状上部（掴み部）１１とこの環状上部１１の外縁から下方に延びる外縁筒部（押し当て部）１２とを備えて構成される。環状上部１１の中心には、円孔１３が形成されるとともに、環状上部１１には、円孔１３に沿って上方に突出する上側筒部（掴み部）１４が形成される。蓋１０は、図５に示すように容器（食用容器または酒用容器）Ｂの首部に円孔１３を差し入れ係止させるようになっている。
【００３８】
外縁筒部１２には、串径または串幅に対応させて周方向に大きさの異なる複数の切り欠き部１５Ａ、１５Ｂ、１５Ｃが形成される。つまり、これら切り欠き部１５Ａ〜１５Ｃは、本体３の上端縁部４に形成された切り欠き部５Ａ〜５Ｃと同様に、串径Ｗ１または串幅Ｗ２、Ｗ３の異なる串Ｓ１〜Ｓ３に応じてそれぞれ大きさを異ならせて形成される。切り欠き部１５Ａ〜１５Ｃの大きさはそれぞれ、第一実施形態における食品補助具２の本体３の切り欠き部５Ａ〜５Ｃの大きさに対応させて形成される。外縁筒部１２の内周面１２Ａには、本体３の上端縁部４に螺合されるねじが形成される。また、外縁筒部１２には、持ちやすくするため、周方向に沿って所定の長さで切り込み部１２Ｂが形成される。
【００３９】
外縁筒部１２の内周面１２Ａは、切り欠き部１５Ａ〜１５Ｃの周囲で串刺し食品が当たるようになっている。すなわち、上記本体３と同様に、切り欠き部１５Ａ〜１５Ｃのいずれかに串Ｓ（Ｓ１、Ｓ２、Ｓ３）を掴む手前側の部分を差し込んで串軸方向に串Ｓを相対移動させると食品を外縁筒部１２の内周面１２Ａに押し付けて串先端側に移動させることができるようになっている。
【００４０】
次に、上記第２実施形態に係る串刺し食品補助具である蓋１０の作用について説明する。本実施形態に係る蓋１０は、通常、本体３の上端縁部４に螺合され本体３に被せされている。この蓋１０は、本体３から取り外すと、図５に示すように、飲用容器Ｂの首部に掛けられるようになっている。このため、串刺し食品を食す際、目につくところに置かれる。蓋１０を串刺し食品補助具として用いる際は、串Ｓ１の先端側の食品片を食べた後、串Ｓ１を掴む手前側の食品片Ｆ１、Ｆ２を蓋１０の内側に配し、片方の手で蓋１０の上側筒部１４を掴み、他方の手で串Ｓ１を直径Ｗ１に応じた切り欠き部１５Ａに差し入れ、串Ｓ１を手前側に引くと、食品片Ｆ１は、外縁筒部１２の内周面１２Ａに押し当てられ、串Ｓ１のみが手前側に外縁筒部１２に対して相対移動する。このため、食品片Ｆ１、Ｆ２はともに串Ｓ１の先端側に移動して行く。こうして、食品片Ｆ１、Ｆ２を串Ｓ１の先端側に移動させることができる。そして、横幅の異なる串Ｓ２またはＳ３であっても、それぞれに対応した切り欠き部５Ｂ、５Ｃを利用することができる。なお、第１第２の実施形態に係る串刺し食品補助具２、１０は、それぞれ単独で使用してもよい。
【００４１】
次に、本発明の第３実施形態に係る串刺し食品補助具２０について説明する。第３実施形態に係る串刺し食品補助具２０は、上記第１および第２の実施形態に係る串刺し食品補助具２、１０が、掴み部を本体３の胴部や上側筒部１４で構成し、押し当て部を円筒状本体３の上端縁部４や円形の蓋１０の外縁筒部１２で構成し、これら押し当て部に切り欠き部５Ａ〜５Ｃ、１５Ａ〜１５Ｃを形成しているのに対し、掴み部を棒状取っ手２１により構成するとともに、押し当て部をこの取っ手２１の一端から延びる板状部２２により構成した点が異なっている。
【００４２】
第３の実施形態に係る串刺し食品補助具２０は、図７ないし図９に示すように、合成樹脂製の棒状取っ手（掴み部）２１とこの取っ手２１の一端から延びる板状部（押し当て部）２２とを備えて構成される。板状部２２には、左右の側端面２３、２４には、串径や串幅に対応させて大きさの異なる複数の切り欠き部２５Ａ、２５Ｂ、２５Ｃが形成される。これら切り欠き部２５Ａ〜２５Ｃは、切り欠き部５Ａ〜５Ｃと同様に、直径Ｗ１または横幅Ｗ２、Ｗ３の異なる串Ｓ１〜Ｓ３に応じてそれぞれ大きさを異ならせて形成される。切り欠き部２５Ａは串（竹串）Ｓ１に応じてＵ字状に、切り欠き部２５Ｂは串（金串）Ｓ２に応じてＶ字状に、切り欠き部２５Ｃは串（角串、平串）Ｓ３に応じて矩形状にそれぞれ形成される。板状部２２の両面２２Ａ、２２Ｂは、切り欠き部２５Ａ〜２５Ｃの周囲で串刺し食品が当たるようになっている。すなわち、切り欠き部２５Ａ〜２５Ｃのいずれかに串Ｓ（Ｓ１、Ｓ２、Ｓ３）を掴む手前側の部分を差し込んで串軸方向に串Ｓを相対移動させると串Ｓに刺された食品を両面２２Ａ、２２Ｂのうちいずれか１面に押し付けて串先端側に移動させることができるようになっている。
【００４３】
板状部２２には、メッセージまたは広告を表示する表示部２６が設けられる。表示部２６には、メッセージまたは広告等が表示された多種の樹脂製紙片２７が交換可能に貼り付けられるようになっている。
【００４４】
次に、上記第３実施形態に係る串刺し食品補助具２０の作用について説明する。本実施形態に係る串刺し食品補助具２０は、串Ｓ（Ｓ１〜Ｓ３）の先端側の食品片を食べた後、手前側の食品片Ｆ１、Ｆ２を板状部２２のいずれか一方の面２２Ａ（２２Ｂ）に当て、片方の手で取っ手２１を掴み、他方の手で串Ｓを串径Ｗ１または串幅Ｗ２，Ｗ３に応じた切り欠き部２５Ａ〜２５Ｃに差し入れ、串Ｓを手前側に引くと、食品片Ｆ１は、面２２Ａに押し当てられ、串Ｓのみが手前側に板状部２２に対して相対移動し、食品片Ｆ１、Ｆ２はともに串Ｓの先端側に移動する。こうして、食品片Ｆ１、Ｆ２を串Ｓの先端側に移動させることができる。そして、串径Ｗ１または串幅Ｗ２、Ｗ３の異なる串Ｓ１〜Ｓ３であっても、それぞれに対応した切り欠き部２５Ａ〜２５Ｃを利用することができる。
【００４５】
図１０および図１１はそれぞれ、上記第３実施形態に係る串刺し食品補助具２０の変形例に係るもので、図１０の第１の変形例に係る串刺し食品補助具１２０は、棒状取っ手１２１とこの取っ手１２１に連続する板状部１２２からなり、上記補助具２０の切り欠き部２５Ａ〜２５Ｃが側端面２３、２４から中心線に向かってほぼ垂直に形成されているのに対し、板状部１２２の切り欠き部１２５Ａ〜１２５Ｃを曲げて形成している点が異なっている。係る構成とすることにより、食品が油っぽい場合など、串Ｓ１〜Ｓ３が切り欠き部１２５Ａ〜１２５Ｃの一部に当たり切り欠き部１２５Ａ〜１２５Ｃから抜け出しにくくするようになっている。このため、串Ｓを切り欠き部１２５Ａ〜１２５Ｃに保持したまま確実に相対移動させることができる。なお、串刺し食品補助具１２０、２２０でも第３実施形態の串刺し食品補助具２０のように、メッセージまたは広告を表示する表示部を設けてもよい。
【００４６】
図１１は第３実施例の第２の変形例に係るもので、この変形例に係る串刺し食品補助具２２０は、棒状取っ手２２１とこの取っ手２２１に連続する板状部２２２からなり、上記第３実施形態に係る串刺し食品補助具２０および第１の変形例に係る串刺し食品補助具１２０が、串Ｓ１〜Ｓ３の串径Ｗ１や串幅Ｗ２、Ｗ３に対応させて複数の切り欠き部２５Ａ〜２５Ｃ、１２５Ａ〜１２５Ｃを形成しているのに対し、単一の切り欠き部２２５を形成した点が異なっている。すなわち、板状部２２２の一側端面２２３に形成された切り欠き部２２５は、く字状に屈曲されて空隙が形成される。図１２に示すように、この空隙のうち、屈曲端部２２５Ａ側の空隙に小径の串径Ｗ１を有する串Ｓ１を、屈曲部（傾斜部）２２５Ｂ側の空隙に串幅Ｗ２の串Ｓ２をそれぞれ導くようになっている。また、切り欠き部２２５は、く字状に屈曲されて形成された空隙のうち、中間部には平坦部２２５Ｃが形成されるとともに、この平坦部２２５Ｃと向き合う部位には、角串（平串）Ｓ３の角部に対応した凹み部（傾斜部）２２５Ｄが形成される。さらに、切り欠き部２２５の外側は外部に向かって拡開する拡開部２２５Ｅが形成される。凹み部２２５Ｄと拡開部２２５Ｅとの空隙に、角串Ｓ３を導くようになっている。このため、串Ｓ１が屈曲端側部２２５Ａに、串Ｓ２が屈曲外側部２２５Ｂに、串３が拡開部２２５Ｅと凹み部２２５Ｄに導かれて、串Ｓ１〜Ｓ２を板状部２２２に対して相対移動させると、上記第１の変形例と同様に、串ＳＳ１〜Ｓ３が外部に離脱するのを阻止する傾斜部２２５Ｂ、２２５Ｄが離脱経路側に設けられているので、これら串Ｓ１〜Ｓ３を抜け出しにくくするようになっている。
【００４７】
次に、本発明の第４実施形態に係る串刺し食品補助具３２０について説明する。第４実施形態に係る串刺し食品補助具３２０は、上記第１ないし第３の実施形態に係る串刺し食品補助具２、１０、２０が、掴み部を本体３の胴部や上側筒部１４、取っ手２１で構成し、押し当て部を円筒状本体３の上端縁部４や円形蓋１０の外縁筒部１２、板状部２２で構成し、これら押し当て部に切り欠き部５Ａ〜５Ｃ、１５Ａ〜１５Ｃ、２５Ａ〜２５Ｃを形成しているのに対し、飲食用缶の上下端外周縁部のいずれか一方に着脱可能に嵌装されるキャップにより構成し、このキャップの外縁に上方に突出し串刺し食品が当たる面を有する押し当て部を形成するとともに、押し当て部には、串刺し食品の異なる串径または串幅に対応させて切り欠き部を形成し、キャップが嵌装された飲食用缶を掴んで使用するようにした点が異なっている。
【００４８】
すなわち、本実施形態に係る串刺し食品補助具３２０は、合成樹脂製のキャップ３２０により構成される。キャップ３２０は、図１３および図１４に示すように、飲食用の金属製缶３３０に着脱可能に嵌装される。キャップ３２０は、飲食用缶３３０の上端外周縁縁部３３１に嵌る溝部３２１が形成された外縁筒部３２２と、この外側筒部３２２の内周側に環状に形成され飲食用缶３３０の上面に臨む内周縁部３２３とを備えている。外縁筒部３２２は、溝部３２１から下方に延び飲食用缶３３０の上部外周に嵌るスカート部３２６と、スカート部３２６と内周縁部３２３との間で上方に突出して形成され串刺し食品の食品が当たる周面３２４Ａ、３２４Ｂを有する上端縁部（押し当て部）３２４とを備えている。上端縁部３２４には、切り欠き部３２５Ａ〜３２５Ｃが形成される。切り欠き部３２５Ａ〜３２５Ｃは、上記各実施形態の切り欠き部５Ａ〜５Ｃ、１５Ａ〜１５Ｃ、２５Ａ〜２５Ｃ、１２５Ａ〜１２５Ｃと同様に、串径Ｗ１や串幅Ｗ２、Ｗ３に対応させて大きさや形状を異ならせて形成される。この串刺し食品補助具（キャップ）３２０を使用する際は、キャップ３２０を飲食用缶３３０の上面に嵌装し、飲食用缶３３０を掴んで、串刺し食品の串の串径または串幅に合う切り欠き部３２５Ａ（３２５Ｂ、３２５Ｃ）に串を掴んだ手前側を差し込み串軸方向に串を相対移動させると食品をいずれかの周面３２４Ａ（３２４Ｂ）に押し付けて串先側に移動させるようになっている。
【００４９】
次に、本発明の第２の発明の一実施形態に係る飲食用缶４２０について説明する。この実施形態に係る飲食用缶４２０は、図１５に示すように、上記第１ないし第４実施形態に係る串刺し食品補助具２、１０、２０、１２０、２２０、３２０がそれぞれ、筒状本体、蓋体、取っ手付き板体、キャップ体といった独立した本体から構成されているのに対し、飲食用缶等他の用途で用いられる容器である実体に、従属的に串刺し食品の串径Ｗ１や串幅Ｗ２、Ｗ３に対応させて切り欠き部４２５Ａ〜４２５Ｃを設けた点が異なっている。すなわち、飲食用缶本体４２１の上下いずれかの端面の外周縁に上下方向に突出して形成された突出縁部４２４を串刺し食品が当たる面を有する押し当て部となし、この突出縁部４２４に、串刺し食品の異なる串径Ｗ１または串幅Ｗ２、Ｗ３に対応させて大きさや形状の異なる切り欠き部４２５Ａ、４２５Ｂ、４２５Ｃを形成している。使用時には、缶本体４２１を掴み、串径または串幅に合った切り欠き部４２５Ａ、４２５Ｂ、４２５Ｃに串を差し込み相対移動させるようになっている。
なお、上記第４実施形態に係る串刺し食品補助具３２０および第２の発明の一実施形態に係る飲食用缶４２０では、切り欠き部３２５Ａ〜３２５Ｃ、４２５Ａ〜４２５Ｃを串Ｓ１〜Ｓ３に応じて複数形成するようにしているがこれに限られるものではなく、大きい串幅Ｗ３に対応させた単一の切り欠き部を形成するようにしてもよい。
【符号の説明】
【００５０】
２  串刺し食品補助具
３  本体（掴み部、筒体）
４  上端縁部（押し当て部）
４Ａ  内周面（面）
５Ａ〜５Ｃ  切り欠き部
Ｆ１、Ｆ２  食品片（食品）
Ｓ１〜Ｓ３  串
Ｗ１  串径
Ｗ２、Ｗ３  串幅
【図１】
2017018392.tif 000003
【図２】
2017018392.tif 000004
【図３】
2017018392.tif 000005
【図４】
2017018392.tif 000006
【図５】
2017018392.tif 000007
【図６】
2017018392.tif 000008
【図７】
2017018392.tif 000009
【図８】
2017018392.tif 000010
【図９】
2017018392.tif 000011
【図１０】
2017018392.tif 000012
【図１１】
2017018392.tif 000013
【図１２】
2017018392.tif 000014
【図１３】
2017018392.tif 000015
【図１４】
2017018392.tif 000016
【図１５】
2017018392.tif 000017